(57)【要約】【課題】利用者に保険の情報を容易に把握させること。【解決手段】実施形態に係る保険管理装置は、保険に関する保険情報を記憶する保険情報記憶部と、ユーザ装置から保険情報の取得要求を受け付ける受付部と、受付部によって保険情報の取得要求が受け付けられた場合に、保険情報記憶部に記憶されている保険情報のうち、ユーザ装置を利用するユーザが保険金の受取人である保険に関する保険情報を一括してユーザ装置に通知する通知部とを備える。【選択図】図２
2014203167.tif 000002
【特許請求の範囲】
【請求項１】
保険に関する保険情報を記憶する保険情報記憶部と、
ユーザ装置から前記保険情報の取得要求を受け付ける受付部と、
前記受付部によって保険情報の取得要求が受け付けられた場合に、前記保険情報記憶部に記憶されている保険情報のうち、前記ユーザ装置を利用するユーザが保険金の受取人である保険に関する保険情報を一括して前記ユーザ装置に通知する通知部と
を備えたことを特徴とする保険管理装置。
【請求項２】
前記保険情報記憶部は、
保険金の受取人と、当該受取人が受け取り可能な保険金の割合である受取割合とを含む保険情報を記憶し、
前記通知部は、
前記受取割合に基づいて、前記ユーザが受け取り可能な保険金を前記ユーザ装置に通知する
ことを特徴とする請求項１に記載の保険管理装置。
【請求項３】
前記受付部は、
前記ユーザ装置から、保険事故が発生したユーザである保険事故ユーザに関するユーザ情報を更に受け付け、
前記通知部は、
前記ユーザ装置を利用するユーザが保険金の受取人である保険に関する保険情報のうち、前記保険事故ユーザが被保険者である保険に関する保険情報を一括して前記ユーザ装置に通知する
ことを特徴とする請求項１又は２に記載の保険管理装置。
【請求項４】
ユーザ毎に、当該ユーザが患った病気に関する病歴情報を記憶する病歴情報記憶部をさらに備え、
前記通知部は、
前記病歴情報記憶部に記憶されている病歴情報のうち、前記保険事故ユーザに関する病歴情報を前記ユーザ装置に通知する
ことを特徴とする請求項３に記載の保険管理装置。
【請求項５】
前記通知部は、
前記受付部によって保険事故ユーザに関するユーザ情報が受け付けられた場合に、当該保険事故ユーザに保険事故が発生したことで保険金の支払い義務が生じる保険会社に対して、当該保険事故ユーザが被保険者である保険に関する保険情報を通知する
ことを特徴とする請求項３又は４に記載の保険管理装置。
【請求項６】
前記通知部は、
前記受付部によって保険情報の取得要求が受け付けられた場合に、前記ユーザ装置を利用するユーザが契約者である保険に関する保険情報に基づいて、当該ユーザが支払う保険料を一括して前記ユーザ装置に通知する
ことを特徴とする請求項１〜５のいずれか一つに記載の保険管理装置。
【請求項７】
保険管理装置が実行する保険管理方法であって、
保険に関する保険情報の取得要求をユーザ装置から受け付ける受付工程と、
前記受付工程によって保険情報の取得要求が受け付けられた場合に、前記ユーザ装置を利用するユーザが保険金の受取人である保険に関する保険情報を一括して前記ユーザ装置に通知する通知工程と
を含んだことを特徴とする保険管理方法。
【請求項８】
保険に関する保険情報の取得要求をユーザ装置から受け付ける受付手順と、
前記受付手順によって保険情報の取得要求が受け付けられた場合に、前記ユーザ装置を利用するユーザが保険金の受取人である保険に関する保険情報を一括して前記ユーザ装置に通知する通知手順と
をコンピュータに実行させることを特徴とする保険管理プログラム。
【発明の詳細な説明】
【技術分野】
【０００１】
本発明は、保険管理装置、保険管理方法及び保険管理プログラムに関する。
【背景技術】
【０００２】
従来、多くの人が、病気や事故等によって生じる損失に備えて各種保険に加入している。このような保険には、生命保険、医療保険、年金保険、損害保険、介護保険、団体保険などのように多くの種類が存在する。また、同一種類の保険であっても、終身保険又は定期保険の違いがあったり、保険会社によって契約内容に違いがあったりする。このようなことから、人によっては、自身のニーズと合致した多数の保険に加入している場合もある。
【０００３】
また、近年では、契約者、被保険者、保険会社等が夫々異なる複数の既契約保険の情報をグループ単位で一元管理し、グループ内において保険会社や契約者を検索キーとして、所望の情報を得る保険情報管理システムが提案されている。
【先行技術文献】
【特許文献】
【０００４】
【特許文献１】特開２００２−２７９１８４号公報
【特許文献２】特開２００５−２２２５２１号公報
【特許文献３】特開２００２−０７４００３号公報
【特許文献４】特開２００３−２２３５６３号公報
【発明の概要】
【発明が解決しようとする課題】
【０００５】
しかしながら、上記の従来技術では、利用者にとって保険の情報を容易に把握できるとは限らなかった。具体的には、上記従来の保険情報管理システムでは、契約者が加入している保険の情報が得られるに過ぎず、利用者にとって必要な保険の情報が精査されていない場合が多いので、利用者にとっては保険の情報を容易に把握できるとは限らなかった。
【０００６】
そこで、本願は、上記に鑑みてなされたものであって、利用者にとって保険の情報を容易に把握することができる保険管理装置、保険管理方法及び保険管理プログラムを提供することを目的とする。
【課題を解決するための手段】
【０００７】
実施形態に係る保険管理装置は、保険に関する保険情報を記憶する保険情報記憶部と、ユーザ装置から前記保険情報の取得要求を受け付ける受付部と、前記受付部によって保険情報の取得要求が受け付けられた場合に、前記保険情報記憶部に記憶されている保険情報のうち、前記ユーザ装置を利用するユーザが保険金の受取人である保険に関する保険情報を一括して前記ユーザ装置に通知する通知部とを備えたことを特徴とする。
【発明の効果】
【０００８】
実施形態の一態様によれば、利用者に保険の情報を容易に把握させることができるという効果を奏する。
【図面の簡単な説明】
【０００９】
【図１】図１は、第１の実施形態に係る保険管理システムの構成例を示す図である。
【図２】図２は、第１の実施形態に係る保険管理装置の構成例を示す図である。
【図３】図３は、第１の実施形態に係るユーザ情報記憶部の一例を示す図である。
【図４】図４は、第１の実施形態に係る保険情報記憶部の一例を示す図である。
【図５】図５は、第１の実施形態に係る条件入力画面の一例を示す図である。
【図６】図６は、第１の実施形態に係る通知画面の一例を示す図である。
【図７】図７は、第１の実施形態に係る保険管理装置による通知処理手順を示すフローチャートである。
【図８】図８は、第１の実施形態に係る通知画面の一例を示す図である。
【図９】図９は、第１の実施形態に係る通知画面の一例を示す図である。
【図１０】図１０は、第１の実施形態に係る通知画面の一例を示す図である。
【図１１】図１１は、第１の実施形態に係る条件入力画面の一例を示す図である。
【図１２】図１２は、第１の実施形態に係る通知画面の一例を示す図である。
【図１３】図１３は、第１の実施形態に係る通知画面の一例を示す図である。
【図１４】図１４は、第２の実施形態に係る保険管理システムの構成例を示す図である。
【図１５】図１５は、第２の実施形態に係る保険管理装置の構成例を示す図である。
【図１６】図１６は、第２の実施形態に係る病歴情報記憶部の一例を示す図である。
【図１７】図１７は、第２の実施形態に係る保険管理装置による通知処理を説明するための説明図である。
【図１８】図１８は、第２の実施形態に係る保険管理装置による通知処理を説明するための説明図である。
【発明を実施するための形態】
【００１０】
以下に、図面を用いて、本願に係る保険管理装置、保険管理方法及び保険管理プログラムの実施形態を説明する。なお、この実施形態により本願に係る保険管理装置、保険管理方法及び保険管理プログラムが限定されるものではない。また、以下の各実施形態において同一の部位には同一の符号を付し、重複する説明は省略される。
【００１１】
（第１の実施形態）
［保険管理システムの構成］
まず、図１を用いて、第１の実施形態に係る保険管理システムの構成について説明する。図１は、第１の実施形態に係る保険管理システム１の構成例を示す図である。図１に示すように、第１の実施形態に係る保険管理システム１には、保険管理装置１００と、ユーザ装置１０１〜１０３とが含まれる。
【００１２】
保険管理装置１００は、企業や団体等の組織によって管理されるサーバ装置である。図１の例の場合、保険管理装置１００は、会社Ｃによって管理される。かかる保険管理装置１００は、会社Ｃの社員に対して、社員が加入している各種保険の一括管理サービスを提供する。
【００１３】
ユーザ装置１０１〜１０３は、ユーザによって利用される情報処理装置である。例えば、ユーザ装置１０１〜１０３は、携帯電話機、ＰＤＡ（Personal  Digital  Assistant）、タブレット型端末、デスクトップ型ＰＣ（Personal  Computer）、ノート型ＰＣ等である。実施形態に係るユーザ装置１０１〜１０３は、携帯電話機やＰＤＡやタブレット型端末であるものとする。
【００１４】
図１の例において、ユーザ装置１０１は、会社Ｃの社員Ｕ１１によって利用される。また、ユーザ装置１０２は、社員Ｕ１１の妻Ｕ１２によって利用され、ユーザ装置１０３は、社員Ｕ１１及び妻Ｕ１２の子供である長女Ｕ１３によって利用される。なお、ユーザ装置１０１〜１０３は、それぞれ同様の機能を有するので、以下では、ユーザ装置１０１〜１０ｎを区別する必要がない場合には、これらを総称して「ユーザ装置１０」と表記する場合がある。
【００１５】
このような前提の下、社員Ｕ１１は、例えば、ユーザ装置１０１を用いて、自身（社員Ｕ１１）が加入している保険に関する保険情報を保険管理装置１００に登録する（１）。例えば、社員Ｕ１１は、保険情報として、「保険会社名」、「保険の種別（生命保険、医療保険、年金保険など）」、「契約者」、「被契約者」、「保険金の受取人」、「保険金」などを保険管理装置１００に登録する。ここで、登録される保険の例としては、被保険者が社員Ｕ１１であり、受取人が妻Ｕ１２や長女Ｕ１３である生命保険や、被保険者が社員Ｕ１１であり、受取人が社員Ｕ１１である医療保険などが挙げられる。
【００１６】
このようにして、保険管理装置１００は、社員Ｕ１１が個人的に加入している各種保険に関する保険情報を保持する。なお、保険管理装置１００は、社員Ｕ１１が契約者である保険に関する保険情報だけでなく、社員Ｕ１１の家族が契約者である保険に関する保険情報の登録についても受け付ける。すなわち、保険管理装置１００は、社員Ｕ１１の家族が加入している全保険の一括管理サービスを提供する。また、会社Ｃが複数の社員を被保険者とした団体保険に加入している場合、保険管理装置１００は、社員Ｕ１１による登録操作にかかわらず、かかる団体保険に関する保険情報についても保持する。
【００１７】
また、上記例では、社員Ｕ１１がユーザ装置１０１を用いて保険情報を登録する例を示したが、この例に限られない。例えば、社員Ｕ１１は、会社Ｃに出勤している際に、会社Ｃから提供されているＰＣ等を用いて保険情報を保険管理装置１００に登録してもよい。また、社員Ｕ１１自身が保険情報を登録するのではなく、社員Ｕ１１と保険契約している保険会社の社員等が社員Ｕ１１を代理して保険情報を登録してもよい。
【００１８】
続いて、図１の例において、妻Ｕ１２は、ユーザ装置１０２を用いて、保険管理装置１００にアクセスすることで、保険情報の取得要求を送信したものとする。この場合、保険管理装置１００は、自装置（保険管理装置１００）内で保持している各種保険情報のうち、妻Ｕ１２が受取人である保険に関する保険情報をユーザ装置１０２に通知する（２）。このとき、保険管理装置１００は、妻Ｕ１２が受取人である保険の保険情報の全てを通知するのではなく、妻Ｕ１２が受け取り可能な保険金を含む保険情報を通知する。
【００１９】
例えば、社員Ｕ１１が加入している生命保険Ａは、保険金が「１０００万円」であり、受取人が妻Ｕ１２及び長女Ｕ１３であるものとする。そして、各受取人が保険金「１０００万円」を受け取る割合が、妻Ｕ１２「５０％」であり、長女Ｕ１３「２５％」であり、図示しない長男「２５％」であるものとする。この場合、保険管理装置１００は、生命保険Ａの保険情報として、「保険金：１０００万円」をユーザ装置１０２に通知するのではなく、妻Ｕ１２が受け取り可能な保険金の額である「保険金：５００万円」を通知する。
【００２０】
同様に、図１の例において、長女Ｕ１３は、ユーザ装置１０３を用いて、保険管理装置１００にアクセスすることで、保険情報の取得要求を送信したものとする。この場合、保険管理装置１００は、長女Ｕ１３が受取人である保険に関する保険情報をユーザ装置１０３に通知する（３）。このとき、社員Ｕ１１が上記の生命保険Ａに加入している場合、保険管理装置１００は、生命保険Ａの保険情報として、「保険金：１０００万円」をユーザ装置１０３に通知するのではなく、長女Ｕ１３が受け取り可能な保険金の額である「保険金：２５０万円」をユーザ装置１０３に通知する。
【００２１】
このように、第１の実施形態に係る保険管理装置１００は、保険情報の取得要求を受信した場合に、保険情報を要求しているユーザ（以下、「要求ユーザ」と表記する場合がある）が受取人である保険に関する保険情報を通知する。すなわち、保険管理装置１００は、保険管理システム１のユーザにとって必要となる保険に関する保険情報のみを通知することで、利用者に保険情報を容易に把握させることができる。また、保険管理装置１００は、要求ユーザが受け取り可能な保険金を算出した上で通知するので、利用者に保険情報をより容易に把握させることができる。
【００２２】
［保険管理装置の構成］
次に、図２を用いて、第１の実施形態に係る保険管理装置１００の構成について説明する。図２は、第１の実施形態に係る保険管理装置１００の構成例を示す図である。図２に示すように、第１の実施形態に係る保険管理装置１００は、通信部１１０と、ユーザ情報記憶部１２１と、保険情報記憶部１２２と、制御部１３０とを有する。なお、保険管理装置１００は、保険管理装置１００を管理する管理者から各種操作を受け付ける入力部（例えば、キーボードやマウス等）や、各種情報を表示するための表示部（液晶ディスプレイ等）を有してもよい。
【００２３】
通信部１１０は、例えば、ＮＩＣ（Network  Interface  Card）等によって実現される。かかる通信部１１０は、図示しないネットワークと有線又は無線により接続され、ネットワークを介して、ユーザ装置１０との間で情報の送受信を行う。
【００２４】
ユーザ情報記憶部１２１及び保険情報記憶部１２２は、例えば、ＲＡＭ（Random  Access  Memory）、フラッシュメモリ（Flash  Memory）等の半導体メモリ素子、または、ハードディスク、光ディスク等の記憶装置によって実現される。
【００２５】
ユーザ情報記憶部１２１は、保険管理装置１００にユーザ登録しているユーザに関する各種ユーザ情報を記憶する。なお、第１の実施形態では、保険管理装置１００は会社Ｃによって管理されるので、ユーザ情報記憶部１２１には、会社Ｃの社員と、社員の家族に関するユーザ情報を記憶する。ここで、図３に、第１の実施形態に係るユーザ情報記憶部１２１の一例を示す。図３に示すように、ユーザ情報記憶部１２１は、「ユーザＩＤ」、「パスワード」、「家族ＩＤ」、「続柄」、「氏名」、「生年月日」、「性別」、「メールアドレス」といった項目を有する。
【００２６】
「ユーザＩＤ」は、ユーザを識別するための識別子を示す。例えば、ユーザが会社Ｃの社員である場合には、「ユーザＩＤ」は、社員ＩＤ等に該当する。「パスワード」は、ユーザのパスワードを示す。かかるパスワードは、ユーザによって指定されてもよいし、保険管理装置１００によって払い出されてもよい。「家族ＩＤ」は、家族を識別するための識別子を示す。図３では、「家族ＩＤ」が同一である複数のユーザが家族であることを示す。「続柄」は、家族内におけるユーザの続柄を示す。図３に示した「続柄」には、「世帯主」との関係が記憶されるものとする。「氏名」は、ユーザの氏名を示す。「生年月日」は、ユーザの生年月日を示す。「性別」は、ユーザの性別を示す。「メールアドレス」は、ユーザが保持するメールアドレスを示す。例えば、「メールアドレス」は、ユーザ装置１０に設定されているメールアドレス等に該当する。
【００２７】
すなわち、図３では、ユーザＩＤ「Ｕ１１」によって識別されるユーザ（以下、図１に示した「社員Ｕ１１」であるものとする）が、世帯主である例を示している。また、図３では、ユーザＩＤ「Ｕ１２」によって識別されるユーザ（以下、図１に示した「妻Ｕ１２」であるものとする）が、社員Ｕ１１の妻である例を示している。また、図３では、ユーザＩＤ「Ｕ１３」によって識別されるユーザ（以下、図１に示した「長女Ｕ１３」であるものとする）が、社員Ｕ１１の長女である例を示している。また、図３では、ユーザＩＤ「Ｕ１４」によって識別されるユーザ（以下、「長男Ｕ１４」であるものとする）が、社員Ｕ１１の長男である例を示している。
【００２８】
なお、ユーザ情報記憶部１２１が記憶する情報は、図３に示した例に限られない。例えば、ユーザ情報記憶部１２１は、ユーザの「住所」や「年齢」や「会社内での役職」や「年収」などを記憶してもよい。
【００２９】
保険情報記憶部１２２は、ユーザが加入している保険に関する保険情報を記憶する。ここで、図４に、第１の実施形態に係る保険情報記憶部１２２の一例を示す。図４に示すように、保険情報記憶部１２２は、「ユーザＩＤ」、「保険会社名」、「保険証券番号」、「保険種別」、「被保険者」、「受取人」、「支払期間」、「支払保険料」、「受取保険金」といった項目を有する。
【００３０】
「ユーザＩＤ」は、図３に示したユーザＩＤに対応する。なお、図４の例では、「ユーザＩＤ」は、保険会社と保険を契約している契約者のユーザＩＤに該当するものとする。「保険会社名」は、保険者として保険事業を営む会社であって、ユーザと保険を契約している会社の名称を示す。「保険証券番号」は、保険を識別するための証券番号を示す。「保険種別」は、保険の商品名などを示す。「被保険者」は、保険事故の発生対象となるユーザを示す。なお、ここでいう保険事故とは、保険者（保険会社）に保険金の支払い義務が生じる事象（例えば、事故、死亡、火災、紛失、満期など）を示す。「受取人」は、保険金を受け取るユーザを示す。「支払期間」は、ユーザが保険料を保険会社に支払う期間を示す。「支払保険料」は、ユーザが保険会社に支払う保険料を示す。「受取保険金」は、保険事故が発生した際に受取人が保険会社から受け取る保険金を示す。
【００３１】
図４に示した保険種別についていくつか例を挙げて説明する。医療保険（終身）は、被保険者の年齢にかかわらず、被保険者に保険事故（例えば、病気）が発生した際に保険会社から受取人に保険金が支払われる保険である。また、生命保険（終身）は、被保険者の年齢にかかわらず、被保険者に保険事故（例えば、死亡）が発生した際に保険会社から受取人に保険金が支払われる保険である。また、生命保険（定期）は、予め決められた年齢以下である被保険者に保険事故（例えば、死亡）が発生した際に保険会社から受取人に保険金が支払われる保険である。また、団体生命保険は、会社Ｃに在職中の被保険者であって、予め決められた年齢（図４の例では６０歳）以下である被保険者に保険事故（例えば、死亡）が発生した際に保険会社から受取人に保険金が支払われる保険である。
【００３２】
すなわち、図４では、ユーザＩＤが「Ｕ１１」である社員Ｕ１１が、保険会社「Ａ１１」との間で、被保険者及び受取人を自身（社員Ｕ１１）とする医療保険（終身）を契約している例を示している。また、図４では、かかる医療保険（終身）の契約内容が、「１９９３年１月」から「２０２９年３月」まで毎月６千円の保険料を社員Ｕ１１が保険会社「Ａ１１」に支払い、保険金が「入院時に毎日８千円、手術時に１５万円」である例を示している。
【００３３】
また、他の例を挙げると、図４では、社員Ｕ１１が、保険会社「Ａ１３」との間で、被保険者を自身（社員Ｕ１１）とし、受取人を妻Ｕ１２、長女Ｕ１３及び長男Ｕ１４とする生命保険（終身）を契約している例を示している。また、図４では、かかる生命保険（終身）の契約内容が、「１９９４年２月」から「２０２９年３月」まで毎月４千円の保険料を社員Ｕ１１が保険会社「Ａ１３」に支払い、保険金が「死亡時に１０００万円」であり、保険金を受け取る割合である受取割合が妻Ｕ１２「５０％」、長女Ｕ１３「２５％」、長男Ｕ１４「２５％」である例を示している。
【００３４】
また、他の例を挙げると、図４では、社員Ｕ１１が、保険会社「Ａ１３」との間で、被保険者を自身（社員Ｕ１１）とし、受取人を妻Ｕ１２、長女Ｕ１３及び長男Ｕ１４とする生命保険（定期）を契約している例を示している。また、図４では、かかる生命保険（定期）の契約内容が、社員Ｕ１１が６０歳までに死亡した場合に、保険金「２０００万円」が受取人である妻Ｕ１２、長女Ｕ１３及び長男Ｕ１４に支払われる例を示している。
【００３５】
また、他の例を挙げると、図４では、ユーザＩＤ「Ｕ１００」によって識別されるユーザ（ここでは、「会社Ｃ」とする）が、保険会社「Ａ２０」との間で、被保険者に社員Ｕ１１を含む団体生命保険を契約している例を示している。また、図４では、かかる団体生命保険の契約内容が、会社Ｃに在職している被保険者（社員）が６０歳までに死亡した場合に、保険金「１５００万円」が受取人である妻Ｕ１２に支払われる例を示している。なお、図４では、団体生命保険の「支払保険料」が「０」となっているが、これは、保険料が会社Ｃによって負担されることを示す。すなわち、この例の場合、被保険者である社員Ｕ１１等が保険会社「Ａ２０」に保険料を支払うことはない。
【００３６】
図２の説明に戻って、制御部１３０は、例えば、ＣＰＵ（Central  Processing  Unit）やＭＰＵ（Micro  Processing  Unit）等によって、内部の記憶装置に記憶されているプログラム（保険管理プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００３７】
第１の実施形態に係る制御部１３０は、例えば、ＨＴＴＰ（Hypertext  Transfer  Protocol）等に従って、保険管理装置１００をウェブサーバとして動作させる。かかる制御部１３０は、図２に示すように、認証部１３１と、登録部１３２と、要求受付部１３３と、通知部１３４とを有する。なお、制御部１３０の内部構成は、図３に示した構成に限られず、後述する情報処理を行う構成であれば他の構成であってもよい。
【００３８】
認証部１３１は、ユーザ認証処理を行う。具体的には、認証部１３１は、通信部１１０を介してユーザ装置１０からアクセスされた場合に、ユーザＩＤ及びパスワードを入力するためのログイン画面をユーザ装置１０に送信する。そして、認証部１３１は、かかるログイン画面に入力されたユーザＩＤ及びパスワードの組合せがユーザ情報記憶部１２１に記憶されているか否かを判定する。そして、認証部１３１は、ユーザＩＤ及びパスワードの組合せがユーザ情報記憶部１２１に記憶されている場合には認証成功と判定し、ユーザＩＤ及びパスワードの組合せがユーザ情報記憶部１２１に記憶されていない場合には認証失敗と判定する。
【００３９】
また、認証部１３１は、ユーザ情報記憶部１２１にユーザ情報が登録されていないユーザからアクセスされた場合には、ユーザ登録処理を行ってもよい。この場合、認証部１３１は、図３に示したユーザ情報記憶部１２１が有する各種項目を入力するためのユーザ情報入力画面をユーザ装置１０に送信する。そして、認証部１３１は、ユーザ情報入力画面に入力された各種情報をユーザ情報記憶部１２１に登録する。また、認証部１３１は、会社Ｃの社員が有するユーザ装置１０から、かかる社員の家族をユーザ登録する旨の要求を受け付けた場合に、家族に関する情報を入力するためのユーザ情報入力画面をユーザ装置１０に送信し、かかるユーザ情報入力画面に入力された各種情報をユーザ情報記憶部１２１に登録する。
【００４０】
なお、制御部１３０は、認証部１３１による認証が成功した場合には、トップ画面をユーザ装置１０に送信する。かかるトップ画面には、上述した家族をユーザ登録するためのユーザ登録メニューや、保険情報を登録するための保険情報登録メニューや、保険情報を取得するための保険情報取得メニューなどが含まれる。
【００４１】
登録部１３２は、通信部１１０を介してユーザ装置１０から保険情報を受信し、受信した保険情報を保険情報記憶部１２２に登録する。具体的には、登録部１３２は、上述したトップ画面における保険情報登録メニューが選択される等して、ユーザ装置１０から保険情報を登録する旨の要求を受け付けた場合に、図４に示した保険情報記憶部１２２が有する各種項目を入力するための保険情報入力画面をユーザ装置１０に送信する。そして、登録部１３２は、保険情報入力画面に入力された各種情報を保険情報記憶部１２２に登録する。なお、登録部１３２によって送信される保険情報入力画面の構成は、既知の技術によって実現できる。例えば、保険情報入力画面では、最初に保険会社をプルダウンで選択させ、保険会社が選択された場合には、かかる保険会社から提供されている保険商品をプルダウンで選択させるなどする。このように、登録部１３２は、保険情報入力画面において、複数の入力項目の間で整合性が保たれるように入力を制限することができる。
【００４２】
要求受付部１３３は、ユーザ装置１０から、保険情報の取得要求を受け付ける。具体的には、要求受付部１３３は、上述したトップ画面における保険情報取得メニューなどが選択される等して、ユーザ装置１０から保険情報を取得する旨の要求を受け付けた場合に、取得対象の保険情報を絞り込む条件を入力するための条件入力画面をユーザ装置１０に送信する。そして、要求受付部１３３は、条件入力画面に入力された絞り込み条件を通知部１３４に出力する。
【００４３】
通知部１３４は、要求受付部１３３によって保険情報の取得要求が受け付けられた場合に、かかる取得要求の送信元である要求ユーザが保険金の受取人である保険に関する保険情報をユーザ装置１０に通知する。具体的には、通知部１３４は、保険情報を要求した要求ユーザが保険管理装置１００にログインする際にログイン画面に入力したユーザＩＤを認証部１３１から取得する。そして、通知部１３４は、かかるユーザＩＤによって識別されるユーザが受取人となっており、かつ、要求受付部１３３から入力される絞り込み条件と合致する保険情報を一括してユーザ装置１０に通知する。第１の実施形態に係る通知部１３４は、保険情報のうち、ユーザが受け取り可能な受取保険金が表示される通知画面をユーザ装置１０に送信するものとする。
【００４４】
ここで、図５及び図６を用いて、上述した要求受付部１３３及び通知部１３４による処理の一例を説明する。図５は、第１の実施形態に係る条件入力画面の一例を示す図である。また、図６は、第１の実施形態に係る通知画面の一例を示す図である。
【００４５】
図５に示した条件入力画面Ｇ１０には、チェックボックスＰ１１と、プルダウンＰ１２〜Ｐ１５と、送信ボタンＢ１０とが含まれる。チェックボックスＰ１１は、条件を設定せずに、要求ユーザが受取人となっている全ての保険情報を取得するかを選択するための入力欄である。プルダウンＰ１２は、死亡したユーザ、又は、死亡したと想定するユーザを選択するための入力欄である。プルダウンＰ１３は、入院したユーザ、又は、入院したと想定するユーザを選択するための入力欄である。プルダウンＰ１４及びＰ１５は、ユーザと、かかるユーザの年齢を選択するための入力欄である。このプルダウンＰ１４及びＰ１５は、ユーザが所定の年齢となった場合に支払われる年金や、保険の満期時に支払われる保険金などを取得するために用いられる。
【００４６】
なお、要求受付部１３３は、図５に示したプルダウンＰ１２〜Ｐ１４に、要求ユーザと要求ユーザの家族とを選択候補として表示する。具体的には、要求受付部１３３は、要求ユーザのユーザＩＤに対応する家族ＩＤをユーザ情報記憶部１２１から取得する。続いて、要求受付部１３３は、かかる家族ＩＤに対応する各ユーザＩＤに対応する氏名をユーザ情報記憶部１２１から取得する。そして、要求受付部１３３は、ユーザ情報記憶部１２１から取得した全ての氏名をプルダウンＰ１２〜Ｐ１４の選択候補として表示する。例えば、要求ユーザのユーザＩＤが「Ｕ１１」であるものとする。この場合、要求受付部１３３は、ユーザ情報記憶部１２１から家族ＩＤ「Ｆ１０」を取得し、家族ＩＤ「Ｆ１０」に対応するユーザＩＤ「Ｕ１１」の氏名「特許Ａ郎」と、ユーザＩＤ「Ｕ１２」の氏名「特許Ｂ子」と、ユーザＩＤ「Ｕ１３」の氏名「特許Ｃ美」と、ユーザＩＤ「Ｕ１４」の氏名「特許Ｄ郎」とをプルダウンＰ１２〜Ｐ１４の選択候補として表示する。
【００４７】
そして、ユーザ装置１０は、図５に示した条件入力画面Ｇ１０において送信ボタンＢ１０がユーザにより押下された場合に、条件入力画面Ｇ１０に入力された絞り込み条件を保険管理装置１００に送信する。この場合、通知部１３４は、図６に示した例のように、ユーザ装置１０から受信した絞り込み条件と合致する保険情報が表示される通知画面Ｇ２０をユーザ装置１０に送信する。
【００４８】
図６では、要求ユーザが妻Ｕ１２であり、条件入力画面Ｇ１０においてチェックボックスＰ１１が選択された場合における通知画面Ｇ２０の一例を示す。この例では、通知部１３４は、保険情報記憶部１２２から、受取人にユーザＩＤ「Ｕ１２」が含まれる保険情報を抽出する。具体的には、通知部１３４は、図４に示した保険情報記憶部１２２に記憶されている保険情報のうち、保険証券番号が「Ｎｏ００２」、「Ｎｏ００４」、「Ｎｏ００５」、「Ｎｏ００６」、「Ｎｏ００７」、「Ｎｏ００８」、「Ｎｏ１００」である７個の保険情報を抽出する。そして、通知部１３４は、抽出した７個の保険情報のうち、妻Ｕ１２が受け取り可能な保険金を算出し、算出した保険金が表示される通知画面Ｇ２０をユーザ装置１０に送信する。
【００４９】
より具体的に説明すると、通知部１３４は、図６の「１．夫が死亡した場合」に示すように、保険証券番号「Ｎｏ００４」の生命保険（終身）に関する保険情報として、妻Ｕ１２が受け取り可能な保険金「５００万円」（保険金１０００万円のうち、妻Ｕ１２が受け取る割合５０％に該当）を通知画面Ｇ２０に表示させる。このように、通知部１３４は、他の保険情報についても妻Ｕ１２が受け取り可能な保険金を表示させる。
【００５０】
なお、図５に示した条件入力画面Ｇ１０のプルダウンＰ１２において、ユーザＩＤ「Ｕ１１」の「特許Ａ郎」が選択された場合、通知部１３４は、被保険者が「特許Ａ郎」であり、かつ、「特許Ａ郎」が死亡した際に支払われる保険金のみが表示される通知画面を送信する。具体的には、通知部１３４は、図６に示した「１．夫が死亡した場合」、「２．夫が６０歳までに死亡した場合」及び「３．夫が在職中で６０歳までに死亡した場合」のみが表示される通知画面を送信する。また、例えば、図５に示した条件入力画面Ｇ１０のプルダウンＰ１３において、ユーザＩＤ「Ｕ１２」の「特許Ｂ子」が選択された場合、通知部１３４は、被保険者が「特許Ｂ子」であり、かつ、「特許Ｂ子」が入院した際に支払われる保険金のみが表示される通知画面を送信する。具体的には、通知部１３４は、図６に示した「７．入院：・・・」のみが表示される通知画面を送信する。
【００５１】
また、図５及び図６の画面例は一例であって、図示した態様に限られない。例えば、要求受付部１３３は、図５に示した条件入力画面Ｇ１０のプルダウンＰ１２において選択されたユーザの死亡年齢を選択するための選択欄や、かかるユーザが会社に在職中であるか否かを選択するための選択欄を含めてもよい。また、例えば、通知部１３４は、図６に示した例において、保険金だけでなく、保険会社名、保険証券番号、保険種別、被保険者などの情報を通知画面に表示させてもよい。
【００５２】
このように、第１の実施形態に係る保険管理装置１００は、絞り込み条件と合致する保険情報を通知するので、利用者に保険情報を容易に把握させることができる。例えば、図５に示した例において、要求ユーザである妻Ｕ１２は、夫が死亡していない場合であっても、プルダウンＰ１２に夫である社員Ｕ１１を指定することで、仮に夫が死亡した際に、自身（妻Ｕ１２）に支払われる保険金を容易に把握することができる。また、例えば、妻Ｕ１２は、プルダウンＰ１３に自身（妻Ｕ１２）を指定することで、自身（妻Ｕ１２）が入院した際に支払われる保険金を容易に把握することができる。また、例えば、妻Ｕ１２は、プルダウンＰ１４に自身（妻Ｕ１２）を指定し、プルダウンＰ１５に自身（妻Ｕ１２）の年齢を指定することで、いつから保険金（年金等）が支払われるかを容易に把握することができる。これにより、保険管理装置１００の利用者は、今後加入すべき保険や、契約を解除すべき保険などを容易に検討することができる。
【００５３】
［保険管理装置の通知処理手順］
次に、図７を用いて、上述してきた保険管理装置１００による通知処理の手順について説明する。図７は、第１の実施形態に係る保険管理装置１００による通知処理手順を示すフローチャートである。
【００５４】
図７に示すように、保険管理装置１００の認証部１３１は、ユーザ装置１０からアクセスされたか否かを判定する（ステップＳ１０１）。そして、認証部１３１は、ユーザ装置１０からアクセスされていない場合には（ステップＳ１０１否定）、アクセスされるまで待機する。
【００５５】
一方、認証部１３１は、ユーザ装置１０からアクセスされた場合に（ステップＳ１０１肯定）、認証処理を行う（ステップＳ１０２）。例えば、認証部１３１は、ログイン画面をユーザ装置１０に送信し、かかるログイン画面に入力されたユーザＩＤ及びパスワードに基づいて認証処理を行う。そして、認証部１３１は、認証処理に失敗した場合には（ステップＳ１０３否定）、ユーザ装置１０にエラー通知を行うなどして処理を終了する。
【００５６】
一方、認証部１３１による認証処理に成功した場合（ステップＳ１０３肯定）、要求受付部１３３は、ユーザ装置１０から保険情報の取得要求を受け付けたか否かを判定する（ステップＳ１０４）。そして、要求受付部１３３は、保険情報が要求されていない場合には（ステップＳ１０４否定）、保険情報が要求されるまで待機する。
【００５７】
一方、要求受付部１３３は、ユーザ装置１０から保険情報の取得要求を受け付けた場合には（ステップＳ１０４肯定）、図５に例示したような条件入力画面Ｇ１０をユーザ装置１０に送信する（ステップＳ１０５）。そして、要求受付部１３３は、かかる条件入力画面Ｇ１０に入力された絞り込み条件をユーザ装置１０から受け付ける（ステップＳ１０６）。
【００５８】
そして、通知部１３４は、ステップＳ１０２において認証処理に用いられたユーザＩＤによって識別されるユーザ（保険情報を要求した要求ユーザ）が受取人であり、かつ、ステップＳ１０６において要求受付部１３３によって受け付けられた絞り込み条件と合致する保険情報を保険情報記憶部１２２から取得する（ステップＳ１０７）。そして、通知部１３４は、保険情報記憶部１２２から取得した保険情報のうち、要求ユーザが受け取り可能な保険金をユーザ装置１０に通知する（ステップＳ１０８）。
【００５９】
［第１の実施形態の変形例］
上述した第１の実施形態は、上記実施形態にも種々の異なる形態にて実施されてもよい。そこで、以下では、第１の実施形態の変形例について説明する。
【００６０】
［保険情報のグラフ表示］
上記第１の実施形態では、図６に示した通知画面を例に挙げて説明したが、通知部１３４は、保険金等がグラフ表示された通知画面を送信してもよい。この点について図８を用いて説明する。図８は、第１の実施形態に係る通知画面の一例を示す図である。図８では、要求ユーザが妻Ｕ１２であり、条件入力画面Ｇ１０のチェックボックスＰ１２において「特許Ａ郎」（社員Ｕ１１）が選択された場合における通知画面Ｇ２１の一例を示す。
【００６１】
図８に示すように、通知部１３４は、保険種別毎に、保険金がグラフ表示された通知画面Ｇ２１を送信する。図８に示したグラフは、被保険者が「特許Ａ郎」（ユーザＩＤ「Ｕ１１」）であり、受取人が妻Ｕ１２である生命保険の例を示している。かかるグラフの横軸は「特許Ａ郎」の年齢を示し、縦軸は妻Ｕ１２が受け取り可能な保険金を示す。すなわち、図８に例示したグラフは、横軸によって示される年齢で「特許Ａ郎」が死亡した際に、妻Ｕ１２に支払われる保険金を示している。
【００６２】
このように、通知部１３４は、保険情報をグラフ表示することにより、要求ユーザに保険情報を容易に把握させることができる。例えば、図８の例において、妻Ｕ１２は、夫が６０歳までに死亡した場合には、合計２５００万円の保険金を受け取り、夫が６０歳以降に死亡した場合には、合計５００万円の保険金を受け取ることを容易に把握することができる。これにより、妻Ｕ１２は、今後加入すべき保険や、契約を解除すべき保険などを容易に検討することができる。
【００６３】
なお、図８では、図示することを省略したが、通知部１３４は、生命保険だけなく、医療保険や年金保険等についても、時間経過とともに変動し得る保険金がグラフ表示された通知画面Ｇ２１をユーザ装置１０に送信する。例えば、通知部１３４は、図４に示した保険証券番号が「Ｎｏ００２」である医療保険（終身）を通知画面に表示させる場合には、グラフの横軸を妻の年齢とし、グラフの縦軸を保険金とする。また、例えば、通知部１３４は、図４に示した保険証券番号が「Ｎｏ００８」である年金保険を通知画面に表示させる場合には、グラフの横軸を妻の年齢とし、グラフの縦軸を保険金とする。
【００６４】
［保険情報の選択表示］
また、通知部１３４は、図８に示した例のように、保険情報をグラフ表示する場合には、グラフ表示させる保険をユーザに選択可能にしてもよい。この点について図９を用いて説明する。図９は、第１の実施形態に係る通知画面の一例を示す図である。図９では、図８の例と同様に、要求ユーザが妻Ｕ１２であり、条件入力画面Ｇ１０のチェックボックスＰ１２において「特許Ａ郎」（社員Ｕ１１）が選択された場合における通知画面Ｇ２２の一例を示す。
【００６５】
図９に示すように、通知部１３４は、図８に示した例と比較して、保険選択欄Ｐ２２を含む通知画面Ｇ２２をユーザ装置１０に送信する。保険選択欄Ｐ２２には、妻Ｕ１２が保険金を受け取ることが可能な生命保険が表示されるとともに、かかる生命保険をグラフ表示するか否かを選択するためのチェックボックスが表示される。図９に示した例では、団体生命保険をグラフ表示しない操作が行われたものとする。この場合、通知画面Ｇ２２には団体生命保険がグラフ表示されない。また、図９に示した状態において、団体生命保険に対応するチェックボックスが選択された場合には、通知画面Ｇ２２は、図８に例示した状態に動的に変動する。
【００６６】
このように、通知部１３４は、各保険情報を選択可能にグラフ表示させることで、要求ユーザに対して、契約解除した場合における保険の状態を容易に把握させることができる。例えば、図９の例において、妻Ｕ１２は、夫が会社を退職した際の保険の状態を容易に把握することができる。なお、図９では、図示することを省略したが、通知部１３４は、生命保険だけなく、医療保険や年金保険等についても、各保険情報を選択可能にグラフ表示させる。
【００６７】
［保険情報のシミュレーション］
また、通知部１３４は、図８及び図９に示した例のように、保険情報をグラフ表示する場合には、現に加入している保険に関する保険情報と、今後加入する予定の保険に関する保険情報とを統合してグラフ表示してもよい。この点について図１０を用いて説明する。図１０は、第１の実施形態に係る通知画面の一例を示す図である。図１０では、図８及び図９の例と同様に、要求ユーザが妻Ｕ１２であり、条件入力画面Ｇ１０のチェックボックスＰ１２において「特許Ａ郎」（社員Ｕ１１）が選択された場合における通知画面Ｇ２３の一例を示す。
【００６８】
図１０に示すように、通知部１３４は、図８に示した例と比較して、保険情報入力ボタンＢ２３と保険選択欄Ｐ２３とを含む通知画面Ｇ２３をユーザ装置１０に送信する。保険情報入力ボタンＢ２３は、現時点ではユーザが未加入の保険に関する保険情報を入力するためのボタンである。かかる保険情報入力ボタンＢ２３が押下された場合に、登録部１３２は、図４に示した保険情報記憶部１２２が有する各種項目を入力するための保険情報入力画面をユーザ装置１０に送信する。そして、かかる保険情報入力画面に保険情報が入力された場合には、通知部１３４は、図１０に示した例のように、保険情報入力画面に入力された保険情報も含めてグラフ表示する。図１０に示した例では、「［Ｙ１］生命保険（定期）」が、実際には加入していない保険を示す。
【００６９】
また、保険選択欄Ｐ２３には、図９に示した例と同様に、妻Ｕ１２が保険金を受け取ることが可能な生命保険が表示されるとともに、かかる生命保険をグラフ表示するか否かを選択するためのチェックボックスが表示される。ただし、図１０に示した保険選択欄Ｐ２３には、保険情報入力ボタンＢ２３を介して入力された未加入の保険情報についても表示される。このように、通知部１３４は、未加入の保険に関する保険情報についてもグラフ表示することで、要求ユーザに対して、仮に保険に加入した場合における保険の状態を容易に把握させることができる。
【００７０】
［支払保険料の通知］
また、上記第１の実施形態では、図６に示した例のように、要求ユーザが受け取り可能な保険金を通知する例を示した。しかし、保険管理装置１００は、要求ユーザが現に支払っている保険料を一括して通知してもよい。この点について、図１１〜図１３を用いて説明する。
【００７１】
図１１は、第１の実施形態に係る条件入力画面の一例を示す図である。要求受付部１３３は、ユーザ装置１０から保険情報を取得する旨の要求を受け付けた場合に、図１１に示した条件入力画面Ｇ３０をユーザ装置１０に送信する。条件入力画面Ｇ３０には、チェックボックスＰ３１〜Ｐ３４と、送信ボタンＢ３０とが含まれる。チェックボックスＰ１１は、条件を設定せずに、要求ユーザが契約者となっている全ての保険情報を受信するかを選択するための入力欄である。プルダウンＰ３２〜Ｐ３４は、要求ユーザが契約者となっている保険を選択するための入力欄である。
【００７２】
そして、ユーザ装置１０は、図１１に示した条件入力画面Ｇ３０において送信ボタンＢ３０がユーザにより押下された場合に、条件入力画面Ｇ３０に入力された絞り込み条件を保険管理装置１００に送信する。この場合、通知部１３４は、図１２に示した例のように、ユーザ装置１０から受信した絞り込み条件と合致する保険情報が表示される通知画面Ｇ４０をユーザ装置１０に送信する。
【００７３】
図１２では、要求ユーザが社員Ｕ１１であり、条件入力画面Ｇ３０においてチェックボックスＰ３１が選択された場合における通知画面Ｇ４０の一例を示す。この例では、通知部１３４は、保険情報記憶部１２２から、ユーザＩＤ「Ｕ１１」に対応する保険情報を抽出する。具体的には、通知部１３４は、図４に示した保険情報記憶部１２２に記憶されている保険情報のうち、保険証券番号が「Ｎｏ００１」〜「Ｎｏ００７」である７個の保険情報を抽出する。そして、通知部１３４は、抽出した７個の保険情報に対応する支払期間及び支払保険料が表示される通知画面Ｇ４０をユーザ装置１０に送信する。このように、通知部１３４は、保険情報として支払保険料についても通知することで、要求ユーザに対して、現に支払っている保険料を容易に把握させることができる。
【００７４】
［支払保険料のグラフ表示］
また、通知部１３４は、図１２に示した例とは異なり、支払保険料がグラフ表示された通知画面を送信してもよい。この点について図１３を用いて説明する。図１３は、第１の実施形態に係る通知画面の一例を示す図である。図１３では、要求ユーザが社員Ｕ１１であり、条件入力画面Ｇ３０においてチェックボックスＰ３２が選択された場合における通知画面Ｇ５０の一例を示す。
【００７５】
図１３に示したグラフは、契約者が社員Ｕ１１である生命保険の例を示している。かかるグラフの横軸は社員Ｕ１１の年齢を示し、縦軸は妻Ｕ１２が支払保険料を示す。すなわち、図１３に例示したグラフは、横軸によって示される社員Ｕ１１の年齢において、社員Ｕ１１が各保険会社に支払う保険料を示している。また、図１３に示した通知画面Ｇ５０には、保険選択欄Ｐ５１が含まれる。保険選択欄Ｐ５１には、社員Ｕ１１が契約者である生命保険が表示されるとともに、かかる生命保険の保険料をグラフ表示するか否かを選択するためのチェックボックスが表示される。
【００７６】
このように、通知部１３４は、支払保険料をグラフ表示することにより、要求ユーザに対して、現に支払っている保険料を容易に把握させることができる。これにより、要求ユーザは、今後加入すべき保険や、契約を解除すべき保険などを容易に検討することができる。
【００７７】
なお、図８では、図示することを省略したが、通知部１３４は、生命保険だけなく、医療保険や年金保険等についても、時間経過とともに変動し得る支払保険料がグラフ表示された通知画面Ｇ５０をユーザ装置１０に送信する。
【００７８】
［絞り込み条件］
また、上記第１の実施形態では、図５に示した例のように要求受付部１３３が条件入力画面を要求ユーザに送信する例を示した。しかし、要求受付部１３３は、条件入力画面を要求ユーザに送信しなくてもよい。この場合、通知部１３４は、要求受付部１３３によって保険情報の取得要求が受け付けられた場合に、要求ユーザが保険金の受取人である全ての保険に関する保険情報をユーザ装置１０に通知する。
【００７９】
［利用態様］
また、上記第１の実施形態において、保険管理装置１００は、ログインしたユーザに対して、かかるユーザと関連性を有する他のユーザの保険情報を通知してもよい。例えば、保険管理装置１００は、上記例に示した妻Ｕ１２がログインした場合には、妻Ｕ１２の家族である社員Ｕ１１、長女Ｕ１３、長男Ｕ１４が契約者や被保険者や受取人となっている保険に関する保険情報を通知してもよい。これにより、保険管理装置１００を管理する会社Ｃは、例えば、会社Ｃによって保険料が負担される団体保険に社員Ｕ１１が加入していることを妻Ｕ１２に認識させることができるので、社員Ｕ１１及び妻Ｕ１２に対して、会社の待遇を認識させることができ、結果として社員の離職率の低減を図ることができる。
【００８０】
［第１の実施形態の効果］
上述してきたように、第１の実施形態に係る保険管理装置１００は、保険情報を要求している要求ユーザが受取人である保険に関する保険情報を通知することで、要求ユーザに利用者に保険情報を容易に把握させることができる。また、第１の実施形態に係る保険管理装置１００は、要求ユーザが受け取り可能な保険金を通知するので、利用者に保険情報をより容易に把握させることができる。
【００８１】
（第２の実施形態）
上記第１の実施形態では、ユーザ装置１０に保険情報を通知する例を示した。第２の実施形態では、保険情報だけでなく、ユーザが過去に患った病気や、ユーザが現に患っている病気に関する病歴情報などが通知される例について説明する。
【００８２】
［保険管理システムの構成］
まず、図１４を用いて、第２の実施形態に係る保険管理システムの構成について説明する。図１４は、第２の実施形態に係る保険管理システム２の構成例を示す図である。図１４に示すように、第２の実施形態に係る保険管理システム２には、保険管理装置２００と、ユーザ装置１０１及び１０２とが含まれる。
【００８３】
図１４の例において、社員Ｕ１１は、ユーザ装置１０１を用いて、自身（社員Ｕ１１）が加入している保険に関する保険情報と、自身（社員Ｕ１１）が過去に患った病気や、自身（社員Ｕ１１）が現に患っている病気に関する病歴情報とを保険管理装置２００に登録する（１）。例えば、社員Ｕ１１は、「診察日」、「診察を受けた病院の名称」、「処方された薬」などを保険管理装置２００に登録する。
【００８４】
続いて、社員Ｕ１１が病気や事故等の理由により、病院Ｈ１１に搬送されたものとする（２）。このとき、病院Ｈ１１の医師等は、病院Ｈ１１内に設置されているユーザ装置１０４から、社員Ｕ１１に関する情報（例えば、ユーザＩＤ）を保険管理装置２００に送信する（３）。例えば、医師等は、社員Ｕ１１からユーザＩＤ等を口頭で聞くことにより、かかるユーザＩＤをユーザ装置１０４から保険管理装置２００へ送信する。
【００８５】
この場合、保険管理装置２００は、社員Ｕ１１の病歴情報をユーザ装置１０４に通知する（４）。また、保険管理装置２００は、社員Ｕ１１の緊急連絡先（ここでは、妻Ｕ１２とする）が利用するユーザ装置１０２に保険情報を通知する（５）。例えば、保険管理装置２００は、被保険者が社員Ｕ１１であり、受取人が妻Ｕ１２である保険に関する保険情報をユーザ装置１０２に通知する。このとき、保険管理装置２００は、社員Ｕ１１が病気等で病院に運ばれた旨が表示される通知画面をユーザ装置１０２に通知する。
【００８６】
このように、第２の実施形態に係る保険管理装置２００は、登録ユーザである社員Ｕ１１が病気等により病院に搬送された場合に、社員Ｕ１１の病歴情報を病院側のユーザ装置１０４に通知する。これにより、医師等は、社員Ｕ１１の病歴を把握することができるので、社員Ｕ１１に対して適切な処置を施すことができる。また、保険管理装置２００は、社員Ｕ１１が病気等により病院に搬送された場合に、緊急連絡先である妻Ｕ１２に保険情報を通知する。これにより、妻Ｕ１２は、夫である社員Ｕ１１が病気等になったことを認識することができる。
【００８７】
［保険管理装置の構成］
次に、図１５を用いて、第２の実施形態に係る保険管理装置２００の構成について説明する。図１５は、第２の実施形態に係る保険管理装置２００の構成例を示す図である。図１５に示すように、第２の実施形態に係る保険管理装置２００は、病歴情報記憶部２２３と、制御部２３０とを有する。また、制御部２３０は、登録部２３２と、要求受付部２３３と、通知部２３４とを有する。
【００８８】
病歴情報記憶部２２３は、例えば、ＲＡＭ、フラッシュメモリ等の半導体メモリ素子、または、ハードディスク、光ディスク等の記憶装置によって実現される。かかる病歴情報記憶部２２３は、保険管理装置２００にユーザ登録しているユーザに関する病歴情報を記憶する。ここで、図１６に、第２の実施形態に係る病歴情報記憶部２２３の一例を示す。図１６に示すように、病歴情報記憶部２２３は、「ユーザＩＤ」、「血液型」、「緊急連絡先」、「病歴情報」といった項目を有する。
【００８９】
「ユーザＩＤ」は、図３及び図４に示したユーザＩＤに対応する。「血液型」は、ユーザの血液型を示す。「緊急連絡先」は、緊急連絡先となるユーザを示す。「病歴情報」は、ユーザが過去に患った病気や、ユーザが現に患っている病気に関する情報を示す。図１６の例では、「病歴情報」は、「診察日」、「病名」、「病院名」、「診療科」、「担当医」、「処方箋」といった項目に区分けされる。「診察日」は、ユーザが病院で診察を受けた年月日を示す。「病名」は、ユーザが患った病気の名称を示す。「病院名」は、ユーザが診察を受けた病院の名称を示す。「診療科」は、ユーザが診察を受けた診療科を示す。「担当医」は、ユーザを診察した医師の氏名を示す。「処方箋」は、ユーザが病院から処方された薬の名称を示す。
【００９０】
すなわち、図１６では、社員Ｕ１１の血液型が「ＲＨ＋  Ａ型」であり、社員Ｕ１１の緊急連絡先が妻Ｕ１２である例を示している。また、図１６では、社員Ｕ１１が、「２０１２年１０月５日」に風邪のため、病院Ｈ１１の内科において、医師Ｘの診察を受け、薬Ｄ１１が処方された例を示している。
【００９１】
登録部２３２は、通信部１１０を介してユーザ装置１０から病歴情報を受信し、受信した病歴情報を病歴情報記憶部２２３に登録する。具体的には、登録部２３２は、制御部２３０によって提供されるトップ画面における病歴情報登録メニューが選択される等して、ユーザ装置１０から病歴情報を登録する旨の要求を受け付けた場合に、図１６に示した病歴情報記憶部２２３が有する各種項目を入力するための病歴情報入力画面をユーザ装置１０に送信する。そして、登録部２３２は、病歴情報入力画面に入力された各種情報を病歴情報記憶部２２３に登録する。
【００９２】
要求受付部２３３は、ユーザ装置１０から、ユーザＩＤ等のユーザ情報とともに病歴情報の取得要求を受け付ける。例えば、図１４に示した例の場合、要求受付部２３３は、病院Ｈ１１に設置されているユーザ装置１０４から病歴情報の取得要求を受け付ける。
【００９３】
通知部２３４は、要求受付部２３３によって病歴情報の取得要求が受け付けられた場合に、要求受付部２３３によって受け付けられたユーザ情報（ユーザＩＤなど）によって識別されるユーザ（以下、「保険事故ユーザ」と表記する場合がある）に対応する病歴情報を病歴情報記憶部２２３から取得する。そして、通知部２３４は、病歴情報を要求した送信元のユーザ装置１０に対して、病歴情報記憶部２２３から取得した保険事故ユーザの病歴情報を通知する。このとき、通知部２３４は、病歴情報だけでなく、病歴情報記憶部２２３に記憶されている「血液型」や「緊急連絡先」等についても通知してもよい。
【００９４】
さらに、通知部２３４は、要求受付部２３３によって病歴情報の取得要求が受け付けられた場合に、保険事故ユーザに対応する緊急連絡先を病歴情報記憶部２２３から取得する。続いて、通知部２３４は、緊急連絡先に対応するユーザのメールアドレスをユーザ情報記憶部１２１から取得する。また、通知部２３４は、保険事故ユーザが被保険者であり、緊急連絡先のユーザが受取人である保険情報を保険情報記憶部１２２から取得する。そして、通知部２３４は、ユーザ情報記憶部１２１から取得した緊急連絡先のメールアドレスを宛先として、保険情報記憶部１２２から取得した保険情報を通知する。このとき、通知部２３４は、保険事故ユーザに保険事故が発生した旨の情報についても通知する。
【００９５】
［第２の実施形態の変形例］
上述した第２の実施形態は、上記実施形態にも種々の異なる形態にて実施されてもよい。そこで、以下では、第２の実施形態の変形例について説明する。
【００９６】
［操作主体］
上記第２の実施形態では、病院Ｈ１１の医師等がユーザ装置１０４を操作することで、病気等になったユーザである社員Ｕ１１に関する情報（例えば、ユーザＩＤ）を保険管理装置２００に送信する例を示した。しかし、病気等になったユーザに関する情報を保険管理装置２００に送信する操作主体は、医師等に限られない。例えば、第２の実施形態において、社員Ｕ１１は、自身の具合が悪くなった場合に、ユーザ装置１０１を用いて保険管理装置２００にログインした後に、症状を入力するための症状入力画面を保険管理装置２００から取得してもよい。そして、ユーザ装置１０１は、社員Ｕ１１によって入力された社員Ｕ１１の症状を保険管理装置２００に送信する。この場合、保険管理装置２００は、ユーザ装置１０１に対して、社員Ｕ１１の病歴情報を通知する。そして、ユーザ装置１０１は、保険管理装置２００から受信した病歴情報を表示部（例えば、液晶ディスプレイ）に表示する。これにより、社員Ｕ１１は、ユーザ装置１０１に表示されている病歴情報を医師等に見せることで、自身の病歴を医師等に正確に伝えることができる。また、保険管理装置２００は、社員Ｕ１１の緊急連絡先である妻Ｕ１２のユーザ装置１０２に対して、社員Ｕ１１の具合が悪くなったことを示す情報及び保険情報を通知する。
【００９７】
また、社員Ｕ１１は、自身の具合が悪くなった場合に会社Ｃに電話で連絡してもよい。そして、社員Ｕ１１から連絡を受けた会社Ｃの社員等（例えば、総務）は、保険管理装置２００にログインした後に、具体が悪くなった社員Ｕ１１のユーザＩＤを入力するための緊急連絡用画面を保険管理装置２００から取得してもよい。この場合、保険管理装置２００は、会社Ｃの総務等に入力されたユーザＩＤに基づいて、社員Ｕ１１のユーザ装置１０１に病歴情報を送信するとともに、社員Ｕ１１の緊急連絡先である妻Ｕ１２のユーザ装置１０２に対して、社員Ｕ１１の具合が悪くなったことを示す情報及び保険情報を通知する。
【００９８】
［病歴情報の通知態様（１）］
また、上記第２の実施形態では、病院Ｈ１１の医師等が社員Ｕ１１からユーザＩＤ等を口頭で聞く例を示した。しかし、社員Ｕ１１が病気や事故のために話せない状態の場合もある。以下、図１７を用いて、社員Ｕ１１が話せない状態の場合における保険管理装置２００による通知処理について説明する。図１７は、第２の実施形態に係る保険管理装置２００による通知処理を説明するための説明図である。
【００９９】
まず、保険管理装置２００を管理する管理者等は、保険管理装置２００に登録されている各ユーザに対して、ＱＲコード（登録商標）等の二次元コードが描出されたシール（以下、「二次元コードシール」と表記する場合がある）を配布する。かかる二次元コードシールには、各ユーザのユーザＩＤと、所定のユーザ側認証鍵とが埋め込まれる。そして、二次元コードシールを配布された各ユーザは、かかる二次元コードシールをユーザ装置１０に貼り付ける。図１７に示した例の場合、社員Ｕ１１は、ユーザ装置１０１の裏面に二次元コードシールＣ１０を貼り付けている。
【０１００】
なお、保険管理装置２００の管理者は、１人のユーザに対して、同一の二次元コードシールを複数配布してもよい。この場合、ユーザは、ユーザ装置１０だけでなく、手帳や、臓器提供意思表示カードや、財布等にも同様の二次元コードシールを貼り付ける。また、上記例では、二次元コードを例に挙げたが、バーコード等の一次元コードであってもよい。
【０１０１】
また、病院Ｈ１１に設置されているユーザ装置１０４には、保険管理装置２００から提供される専用アプリケーションがインストールされる。かかる専用アプリケーションは、病歴情報の取得要求を保険管理装置２００に送信する処理などを行う。また、かかる専用アプリケーションには、病院側認証鍵が予め設定される。
【０１０２】
そして、病院Ｈ１１の医師等は、社員Ｕ１１が搬送されてきた場合に、ユーザ装置１０４により、ユーザ装置１０１に貼り付けられている二次元コードシールＣ１０を読み取る（１）。ユーザ装置１０４による二次元コードの読み取り処理は、近年の端末装置に予め搭載されている既知の技術によって実現することができる。
【０１０３】
続いて、ユーザ装置１０４は、専用アプリケーションによる制御の下、二次元コードシールＣ１０を読み取った場合に、図１７に示した例のようなユーザ情報送信画面Ｇ６１を表示する。そして、ユーザ装置１０４は、ユーザ情報送信画面Ｇ６１において送信ボタンＢ６１が押下された場合に、二次元コードシールＣ１０から読み取った「社員Ｕ１１のユーザＩＤ」及び「ユーザ側認証鍵」と、専用アプリケーションに予め設定されている「病院側認証鍵」を保険管理装置２００に送信する（２）。
【０１０４】
続いて、保険管理装置２００の認証部１３１は、ユーザ装置１０４から受信した「社員Ｕ１１のユーザＩＤ」、「ユーザ側認証鍵」及び「病院側認証鍵」を用いて認証処理を行う。ここで、図１７の例の場合、保険管理装置２００は、「ユーザＩＤ」、「ユーザ側認証鍵」及び「病院側認証鍵」の組合せを対応付けて、所定の認証記憶部に記憶する。具体的には、保険管理装置２００は、各ユーザに対して、どの病院に自身の病歴情報を通知してよいかを設定させる。そして、保険管理装置２００は、ユーザの「ユーザＩＤ」及び「ユーザ側認証鍵」と、ユーザによって設定された病院に対応する「病院側認証鍵」とを対応付けて認証記憶部に登録しておく。すなわち、認証部１３１は、ユーザ装置１０４から受信した「社員Ｕ１１のユーザＩＤ」、「ユーザ側認証鍵」及び「病院側認証鍵」の組合せが認証記憶部に記憶されているか否かに基づいて認証処理を行う。
【０１０５】
続いて、保険管理装置２００の通知部２３４は、認証部１３１による認証処理が成功した場合には、社員Ｕ１１の病歴情報をユーザ装置１０４に通知する（３）。これにより、ユーザ装置１０４は、専用アプリケーションによる制御の下、図１７に示した例のような病歴情報画面Ｇ６２を表示する。なお、ユーザ装置１０４は、保険管理装置２００から通知された病歴情報のうち、現在日時から所定期間内（例えば、１週間、２週間、１か月）である診察日に対応する病歴情報を「治療中病院」、「治療中病気」、「服用中の薬」などとして表示する。また、この例に限られず、ユーザ装置１０４は、保険管理装置２００から通知された全ての病歴情報を表示してもよい。
【０１０６】
続いて、ユーザ装置１０４は、病歴情報画面Ｇ６２において送信ボタンＢ６２が押下された場合に、緊急連絡先ユーザのメールアドレスに、社員Ｕ１１が病気等になったことや、社員Ｕ１１が搬送された病院Ｈ１１の名称及び電話番号を通知する（４）。このように、ユーザ装置１０４が、現に社員Ｕ１１が搬送された病院Ｈ１１に関する情報を緊急連絡先に通知してもよい。
【０１０７】
なお、図１７の例では、病院を例に挙げて説明したが、上述したユーザ装置１０４が設置される施設は病院に限られず、市役所、図書館、レストランなどの施設であってもよい。
【０１０８】
［病歴情報の通知態様（２）］
また、図１７に示した例において、二次元コードシールを配布されたユーザ（図１７の例では、社員Ｕ１１）は、自身が所有するユーザ装置１０や手帳などに二次元コードシールを貼り付けるだけでなく、他人に二次元コードシールを渡してもよい。例えば、ユーザは、家族、知人、かかりつけの病院、店舗（レストランなど）の関係者、ホテルの関係者、旅行会社の関係者などに二次元コードシールを渡してもよい。かかるユーザは、例えば、年賀状等に二次元コードシールを貼り付けたり、名刺に二次元コードシールを貼り付けたりすることで、二次元コードシールを他人に渡すことができる。そして、二次元コードシールを渡された他人は、あるユーザが病気や事故のために話せない状態となった現場に遭遇した場合に、かかるユーザから渡されていた二次元コードシールをユーザ装置１０により読み取り、読み取った情報を保険管理装置２００に送信する。これにより、保険管理装置２００は、事故等にあったユーザの緊急連絡先に対して、社員Ｕ１１が病気等になったことや、社員Ｕ１１が搬送された病院Ｈ１１の名称及び電話番号を通知する。この点について図１８の例を用いて説明する。
【０１０９】
図１８に示した例の場合、社員Ｕ１１は、一例として、レストラン等の店舗Ａ１０のスタッフに二次元コードシールＣ１０を予め渡しておく。このようにして、店舗Ａ１０は、例えば、常連客の二次元コードシールを保持しておく。そして、図１８の例において、店舗Ａ１０に来店中の社員Ｕ１１が病気等のために倒れ話せない状態になったものとする（１）。
【０１１０】
この場合、店舗Ａ１０のスタッフ等は、店舗Ａ１０に設置されているユーザ装置１０５により、社員Ｕ１１から予め渡されていた二次元コードシールＣ１０を読み取る（２）。なお、ユーザ装置１０５には、保険管理装置２００から提供される専用アプリケーションがインストールされる。かかる専用アプリケーションは、病歴情報の取得要求を保険管理装置２００に送信する処理などを行う。また、かかる専用アプリケーションには、店舗側認証鍵が予め設定される。以降の処理（３）〜（５）は、病院側認証鍵の代わりに店舗側認証鍵が用いられる点を除いて、図１７に示した処理（２）〜（４）と同様であるので説明を省略する。
【０１１１】
図１８に示した例の場合、店舗Ａ１０のスタッフ等は、救急車等で駆けつけた医師等に、ユーザ装置１０５に表示される病歴情報を閲覧させることができる。これにより、医師等は、社員Ｕ１１に対して適切な処置を施すことができる。
【０１１２】
なお、図１７及び図１８の例では、「ユーザ側認証鍵」、「病院側認証鍵」や「店舗側認証鍵」を用いた認証処理を例に挙げて説明したが、保険管理装置２００は、無条件に病歴情報をユーザ装置１０４やユーザ装置１０５に通知してもよい。この場合、ユーザ装置１０４やユーザ装置１０５は、ユーザＩＤのみを保険管理装置２００に送信すればよい。また、図１７及び図１８の例において、社員Ｕ１１が会話可能である場合には、社員Ｕ１１自身がユーザ装置１０４やユーザ装置１０５にユーザ装置１０をかざしてもよい。また、社員Ｕ１１が会話可能であり、保険管理装置２００が無条件に病歴情報を通知する場合には、社員Ｕ１１自身がユーザＩＤをユーザ装置１０４やユーザ装置１０５に入力してもよい。また、医師等は、社員Ｕ１１の家族等から社員Ｕ１１のユーザＩＤを確認できる場合には、家族等から確認したユーザＩＤをユーザ装置１０４やユーザ装置１０５に入力してもよい。
【０１１３】
［病歴情報の登録］
上記第２の実施形態では、ユーザが、ユーザ装置１０を用いて病歴情報を保険管理装置２００に登録する例を示した。かかる病歴情報は、病院側や調剤薬局側からユーザ装置１０に提供されてもよい。
【０１１４】
具体的には、上述してきた保険管理システム２に含まれる調剤薬局には、薬局側端末が設置される。そして、調剤薬局員等は、社員Ｕ１１等のユーザに処方箋を渡す前に、診察日、病名、病院名、診療科、担当医、処方箋（薬の名称、薬の内容量など）等の病歴情報を薬局側端末に入力しておく。なお、病院Ｈ１１に設置されている端末等から薬局側端末に病歴情報が送信される場合には、調剤薬局員等は、全ての病歴情報を入力することを要しない。
【０１１５】
また、薬局側端末は、近距離通信により各種情報を、携帯端末等のユーザ装置１０に送信する機能を有する。そして、社員Ｕ１１等のユーザは、病院で診察を受け、調剤薬局で処方箋を受け取る際に、調剤薬局に設置されている薬局側端末にユーザ装置１０をかざす。これにより、かかる薬局側端末は、診察日、病名、病院名、診療科、担当医、処方箋（薬の名称、薬の内容量など）等の病歴情報をユーザ装置１０に送信する。これにより、ユーザ装置１０は、薬局側端末から受信した病歴情報を保存する。そして、ユーザ装置１０は、ユーザ操作に従って、薬局側端末から受信した病歴情報を保険管理装置２００に送信する。これにより、ユーザは、各種病歴情報を入力することなく、正確な病歴情報を保険管理装置２００に送信することができる。
【０１１６】
また、上記例において、ユーザ装置１０は、病歴情報を保持することとなるが、かかる病歴情報をユーザ装置１０の表示部（例えば、液晶ディスプレイ）に表示してもよい。また、ユーザ装置１０は、表示中の病歴情報に含まれる各種情報が押下される等した場合に、押下された情報（例えば、処方箋など）をキーにしてウェブ検索を実行し、検索結果を保持しておいてもよい。
【０１１７】
また、上記例において、ユーザ装置１０は、病歴情報を表示するだけでなく、かかる病歴情報に対応する各種情報をユーザに入力させ、入力された情報を病歴情報に対応付けて保持しておいてもよい。例えば、ユーザ装置１０は、病歴情報毎に、ユーザの血圧等を入力させることで、各病歴後に血圧を履歴管理してもよい。
【０１１８】
なお、上記例のようにユーザ装置１０に保持されている病歴情報や、保険管理装置２００において管理されている病歴情報は、保険加入時に必要となる告知書をユーザが記載する際に利用することができる。例えば、保険加入時の告知違反等の問題で保険金を受け取ることが困難になるケースもあるが、ユーザは、ユーザ装置１０や保険管理装置２００に保持されている病歴情報を保険会社に提示することで、正確な病歴を告知することができるので、保険金を受け取る際のトラブルを解消することができる。
【０１１９】
また、上記例において、調剤薬局員等は、ユーザの次回の診察予定日等を薬局側端末に入力してもよい。そして、薬局側端末は、ユーザ装置１０がかざされた場合に、診察予定日をユーザ装置１０に送信してもよい。この場合、ユーザ装置１０は、薬局側端末から受信した診察予定日等を、所定のスケジュールアプリに組み込む。これにより、ユーザは、診察予定日のスケジュールを容易に管理することができる。
【０１２０】
［保険会社へ通知］
また、上記第２の実施形態において、保険管理装置２００の通知部２３４は、要求受付部２３３によって病歴情報の取得要求が受け付けられた場合に、保険会社に保険情報を通知してもよい。具体的には、通知部２３４は、保険事故ユーザが被保険者である保険に関する保険情報を保険情報記憶部１２２から取得する。そして、通知部２３４は、保険情報記憶部１２２から取得した保険情報に含まれる保険会社が保有する端末装置（例えば、担当者の端末装置）に対して、かかる保険会社が保険者である保険の保険情報を通知する。これにより、保険管理装置２００は、保険会社に対して保険金の支払い義務が生じることを通知することができる。すなわち、ユーザや家族は、保険会社に保険金を請求することなく、保険会社から保険金を受け取ることが可能になる。
【０１２１】
［通知先、通知情報］
上記のように、第２の実施形態に係る保険管理システム２では、具合が悪くなったユーザ（上記例では、社員Ｕ１１）に関する情報（例えば、ユーザＩＤ）を保険管理装置２００に送信する操作主体は、医師、社員Ｕ１１、会社Ｃの総務などであってもよい。すなわち、保険管理システム２では、病歴情報の取得要求を保険管理装置２００に送信するための操作を行う操作主体は、状況によって異なることが考えられる。ここで、保険管理装置２００の通知部２３４は、操作主体に応じて病歴情報等の通知先を変動させてもよい。
【０１２２】
例えば、通知部２３４は、社員Ｕ１１から病歴情報の取得要求を受信した場合には、社員Ｕ１１と、社員Ｕ１１の緊急連絡先である妻Ｕ１２と、保険会社と、社員Ｕ１１が診察を受けたことがある病院と、社員Ｕ１１が勤務している会社Ｃとに対して、病歴情報や保険情報等を通知してもよい。また、例えば、通知部２３４は、妻Ｕ１２から社員Ｕ１１の病歴情報の取得要求を受信した場合には、社員Ｕ１１と、保険会社と、病院と、会社Ｃとに対して、病歴情報や保険情報等を通知してもよい。また、例えば、通知部２３４は、医師から社員Ｕ１１の病歴情報の取得要求を受信した場合には、妻Ｕ１２と、保険会社と、病院と、会社Ｃとに対して病歴情報や保険情報等を通知してもよい。また、例えば、通知部２３４は、会社Ｃの総務等から社員Ｕ１１の病歴情報の取得要求を受信した場合には、妻Ｕ１２と、保険会社と、病院とに対して、病歴情報や保険情報等を通知してもよい。
【０１２３】
また、上記例において、通知部２３４は、通知先に応じて、通知する情報を変動させてもよい。例えば、保険管理装置２００が、社員Ｕ１１の病歴情報の取得要求を受信したものとする。このとき通知部２３４は、社員Ｕ１１や病院や保険会社に対しては、全ての病歴情報を通知するが、会社Ｃに対しては、病歴情報を通知せずに、社員Ｕ１１の具合が悪くなったことだけを通知する。
【０１２４】
（他の実施形態）
上述してきた第１及び第２の実施形態は、上記実施形態にも種々の異なる形態にて実施されてもよい。そこで、以下では、他の実施形態の変形例について説明する。
【０１２５】
［保険の一括管理サービスの提供主体］
上記第１及び第２の実施形態では、会社Ｃが、保険管理装置１００や保険管理装置２００を管理し、保険の一括管理サービスを社員に提供する例を示した。しかし、上述してきた保険管理装置１００や保険管理装置２００は、社員にサービス提供を目的とした会社によって管理される例に限られず、インターネットを介してアクセス可能な一般ユーザにサービス提供を目的とした企業等によって管理されてもよい。例えば、上述してきた実施形態では、主として社員Ｕ１１を例に挙げて説明したが、かかる社員Ｕ１１は、会社Ｃの社員ではなく一般ユーザであってもよい。この例の場合、ユーザは、会社Ｃを退職したり、他の会社に転職した場合であっても、保険情報を再登録することなく、保険管理装置１００や保険管理装置２００によって提供される保険の一括管理サービスを継続して利用することができる。
【０１２６】
また、上記第１及び第２の実施形態において、会社Ｃが保険管理装置１００や保険管理装置２００を管理する場合であっても、会社Ｃは、会社Ｃが契約者である団体保険に加入していない社員に対しても、社員に対して保険管理装置１００や保険管理装置２００を利用することを許可する。これにより、社員は、団体保険に加入していない場合であっても、個人で加入している保険に関する保険情報を保険管理装置１００や保険管理装置２００に登録できる。また、会社Ｃとしては、保険会社毎や保険毎に、加入者数の合計や統計資料を作成することができる。例えば、保険によっては、所定数（例えば、５人〜１０人）以上の社員が加入している場合には、団体保険として扱われ、保険料が割引される場合がある。すなわち、会社Ｃは、所定の保険に加入している社員数が所定数以上である場合には、団体保険に変更とすることを社員に推奨できるので、社員へのサービス向上を図ることができる。また、会社Ｃは、各社員が個人的に加入している保険を管理することにより、社員に事故等が発生した場合に、家族に保険の契約内容を連絡することができるので、社員へのサービス向上を図ることができる。このように、会社Ｃは、社員へのサービス向上を図ることができることから、社員の離職率を低減することができる。
【０１２７】
［保険情報の共有］
また、上述してきた保険情報記憶部１２２に記憶されている各種情報は、病院を紹介するサービスや、セカンドオピニオンを案内するサービスや、休日に診療している病院を紹介するサービス等を提供しているサービス会社に開示されてもよい。
【０１２８】
［保険の種類］
また、上述してきた保険の種類や契約内容は一例であって、上記例に限られない。例えば、ユーザが加入する保険は、損害保険、介護保険であってもよいし、国や地方自治体が運営する公営保険（厚生年金、遺族厚生年金など）であってもよい。
【０１２９】
［その他］
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１３０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３１】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１３２】
１  保険管理システム
２  保険管理システム
１０  ユーザ装置
１００  保険管理装置
１２１  ユーザ情報記憶部
１２２  保険情報記憶部
１３１  認証部
１３２  登録部
１３３  要求受付部
１３４  通知部
２００  保険管理装置
２２３  病歴情報記憶部
２３２  登録部
２３３  要求受付部
２３４  通知部
【図１】
2014203167.tif 000003
【図２】
2014203167.tif 000004
【図３】
2014203167.tif 000005
【図４】
2014203167.tif 000006
【図５】
2014203167.tif 000007
【図６】
2014203167.tif 000008
【図７】
2014203167.tif 000009
【図８】
2014203167.tif 000010
【図９】
2014203167.tif 000011
【図１０】
2014203167.tif 000012
【図１１】
2014203167.tif 000013
【図１２】
2014203167.tif 000014
【図１３】
2014203167.tif 000015
【図１４】
2014203167.tif 000016
【図１５】
2014203167.tif 000017
【図１６】
2014203167.tif 000018
【図１７】
2014203167.tif 000019
【図１８】
2014203167.tif 000020